(57)【要約】【課題】  穿刺アダプタをプローブに装着する時、プローブシースを破らない穿刺アダプタを提供すること。【解決手段】  滅菌状態を確保するためのプローブカバーであるプローブシースが被覆された超音波プローブに脱着可能に設けられ、穿刺針を用いる穿刺治療時において利用される穿刺アダプタであって、第１のホルダー部と、当該第１のホルダー部に対して相対的に回転可能に設けられた第２のホルダー部と、前記第１のホルダー部と前記第２のホルダー部との間において、前記第１のホルダー部に対して相対的に回転可能に設けられた第３のホルダー部を少なくとも有するホルダー手段と、前記超音波プローブを挟掴するために、前記第１のホルダー部の一端と前記第３のホルダー部との一端とを固定するための固定部と、を具備することを特徴とする穿刺アダプタである。【選択図】      図１
2009072604.tif 000002
【特許請求の範囲】
【請求項１】
滅菌状態を確保するためのプローブカバーであるプローブシースが被覆された超音波プローブに脱着可能に設けられ、穿刺針を用いる穿刺治療時において利用される穿刺アダプタであって、
第１のホルダー部と、当該第１のホルダー部に対して相対的に回転可能に設けられた第２のホルダー部と、前記第１のホルダー部と前記第２のホルダー部との間において、前記第１のホルダー部に対して相対的に回転可能に設けられた第３のホルダー部を少なくとも有するホルダー手段と、
前記超音波プローブを挟掴するために、前記第１のホルダー部の一端と前記第３のホルダー部との一端とを固定するための固定部と、
を具備することを特徴とする穿刺アダプタ。
【請求項２】
前記超音波プローブは、四つの角部を有する略矩形状であり、
前記第３のホルダー手段は、前記第１のホルダー部と前記第２のホルダー部との間において、前記四つの角部の一つに沿って設けられた第１の回転軸を中心として前記第１のホルダー部に対して相対的に回転可能に設けられ、
前記固定部は、前記四つの角部の他の一つに沿って設けられていること、
を特徴とする請求項１記載の穿刺アダプタ。
【請求項３】
前記超音波プローブは、楕円形を断面に持つ円柱形状であり、
前記第３のホルダー手段は、前記楕円形の断面の長軸に対応する位置に設けられた第１の回転軸を中心として前記第１のホルダー部に対して相対的に回転可能に設けられると共に、前記楕円形の断面の短軸に対応する位置に設けられた第２の回転軸を中心として前記第２のホルダー部に対して相対的に回転可能に設けられていること、
を特徴とする請求項１記載の穿刺アダプタ。
【請求項４】
前記プローブには、突起又は凹口形状を有する位置決め部材が設けられ、
前記ホルダー手段は、前記超音波プローブに設けられた突起又は凹口形状を有する位置決め部材と結合するものであって、前記位置決め部材を被覆する前記プローブシースとの摩擦を低減させるための形状を有する結合部材をさらに有すること、
を特徴とする請求項１乃至３のうちいずれか一項記載の穿刺アダプタ。
【請求項５】
前記結合部材は、前記第１のホルダー部及び前記第２のホルダー部に設けられていることを特徴とする請求項４記載の穿刺アダプタ。
【請求項６】
滅菌状態を確保するためのプローブカバーであるプローブシースが被覆された超音波プローブと、
第１のホルダー部と、当該第１のホルダー部に対して相対的に回転可能に設けられた第２のホルダー部と、前記第１のホルダー部と前記第２のホルダー部との間において、前記第１のホルダー部に対して相対的に回転可能に設けられた第３のホルダー部を少なくとも有するホルダー手段と、前記超音波プローブを挟掴するために、前記第１のホルダー部の一端と前記第３のホルダー部との一端とを固定するための固定部と、を有し、穿刺針を用いる穿刺治療時において利用される穿刺アダプタと、
を具備することを特徴とする超音波プローブ装置。
【請求項７】
前記超音波プローブは、四つの角部を有する略矩形状であり、
前記第３のホルダー手段は、前記第１のホルダー部と前記第２のホルダー部との間において、前記四つの角部の一つに沿って設けられた第１の回転軸を中心として前記第１のホルダー部に対して相対的に回転可能に設けられ、
前記固定部は、前記四つの角部の他の一つに沿って設けられていること、
を特徴とする請求項６記載の超音波プローブ装置。
【請求項８】
前記超音波プローブは、楕円形を断面に持つ円柱形状であり、
前記第３のホルダー手段は、前記楕円形の断面の長軸に対応する位置に設けられた第１の回転軸を中心として前記第１のホルダー部に対して相対的に回転可能に設けられると共に、前記楕円形の断面の短軸に対応する位置に設けられた第２の回転軸を中心として前記第２のホルダー部に対して相対的に回転可能に設けられていること、
を特徴とする請求項６記載の超音波プローブ装置。
【請求項９】
前記プローブには、突起又は凹口形状を有する位置決め部材が設けられ、
前記ホルダー手段は、前記超音波プローブに設けられた突起又は凹口形状を有する位置決め部材と結合するものであって、前記位置決め部材を被覆する前記プローブシースとの摩擦を低減させるための形状を有する結合部材をさらに有すること、
を特徴とする請求項６乃至８のうちいずれか一項記載の超音波プローブ装置。
【請求項１０】
前記結合部材は、前記第１のホルダー部及び前記第２のホルダー部に設けられていることを特徴とする請求項９記載の超音波プローブ装置。
【発明の詳細な説明】
【技術分野】
【０００１】
本発明は、穿刺アダプタに関し、特に、プローブシースを破らない穿刺アダプタ及び超音波プローブ装置に関する。
【背景技術】
【０００２】
操作者、例えば医者あるいは放射科の作業者は、超音波画像モニターで穿刺針が生体内に入るように案内して、抜き取り検査、例えば腫瘍患者の組織の抜き取り検査を行い、或いは治療、例えば薬品を患者体内に注射する治療を行う。前記超音波画像は、通常専門の穿刺操作のために製造された超音波プローブから取れる。
【０００３】
患者と作業者への感染を防止するため、穿刺時は必ずプローブシース（すなわち、滅菌状態を確保するためのプローブカバー）を使用する。従って穿刺中、プローブシースの破損が発生してはいけない。プローブシースは、柔軟性のゴム製品で厚みが数ミクロンと薄く、プローブに被せて使用する。
【０００４】
図８は、穿刺針１、穿刺アダプタ２、超音波プローブ３、プローブシース４、生体及び超音波画像領域の関係を示す正面図である。
【０００５】
図９は、穿刺針１、穿刺アダプタ２、超音波プローブ３、プローブシース４の関係を示す立体図である。
【０００６】
図９に示すように、穿刺アダプタ２は、ホルダー部２０と穿刺針手引き部品６とからなる。穿刺針手引き部品６は、穿刺針が予定の軌道に沿って患者体内に入るように案内する役割を果たす。ホルダー部２０は、穿刺アダプタ２とプローブ３を組み立てる役割を果たす。
【発明の開示】
【発明が解決しようとする課題】
【０００７】
従来の穿刺アダプタのホルダー部は、製造の制限により、使用時、次のような問題が発生しやすい。すなわち、穿刺時に使用されるプローブシースは、柔軟性のゴム製品で厚みが数ミクロンと薄いため、使用時（特に穿刺アダプタ２のプローブ３への装着時やプローブ３からの取り外し時）に破れてしまうことがある。これは、穿刺アダプタ２をプローブ３に組み立てる時、又はプローブ３から取り外す時、プローブシース４に加えられる摩擦力により、プローブシース４が破れためである。
【０００８】
図１０は、従来の穿刺アダプタ２のホルダー部２０の一つの例を示す図である。穿刺アダプタ２のホルダー部２０は、上部ホルダー部２１ａｏと、下部ホルダー部２１ｂｏとを含む。上部、下部ホルダー部２１ａｏと２１ｂｏは、軸２２ｏを持つヒンジによって接続される。穿刺アダプタ２は、上部ホルダー部２１ａｏと下部ホルダー部２１ｂｏとによって超音波プローブ３を挟み、ホルダー部同志を摘み固定器２３ｏで固定することにより、超音波プローブ３に装着される。
【０００９】
すなわち、構造の制限により、穿刺アダプタ２をプローブ３に装着又は取り外す時、穿刺アダプタ２とプローブ３の間は必ず相対滑りが発生し、これによりプローブシース４に摩擦力を与えて、プローブシース４の破損を引き起こす。なお、図１１においては、（ａ）→（ｄ）の順序の操作で穿刺アダプタ２が超音波プローブ３に装着される。一方、（ａ）→（ｄ）の順序の操作で穿刺アダプタ２が超音波プローブ３から取り外しされる。
【００１０】
図１２は、従来の穿刺アダプタ２がプローブシースを破損することを示す原理図である。穿刺アダプタ２の回転半径の範囲で、穿刺アダプタ２とプローブ３の間は摩擦があって、プローブシース４を破損する。すなわち、従来の穿刺アダプタ２では、上部ホルダー部２１ａｏの開口幅Ｗ２が超音波プローブ３の幅と同程度となっている。このため、例えば穿刺アダプタ２をプローブ３に装着（又は取り外し）する場合、図１２の実線円内に示すように、上部ホルダー部２１ａｏの縁とプローブシース４がかぶせられた超音波プローブ３の角とがこすれ合うこととなり、プローブシース４に加えられる摩擦力により、プローブシース４が破れる。
【００１１】
本発明は、上記事情を鑑みてなされたもので、穿刺アダプタをプローブに装着（又は取り外し）する時、プローブシースを破らない穿刺アダプタ又は穿刺アダプタ付きプローブ装置を提供することを目的とする。
【課題を解決するための手段】
【００１２】
本発明は、上記目的を達成するため、次のような手段を講じている。
【００１３】
請求項１に記載の発明は、滅菌状態を確保するためのプローブカバーであるプローブシースが被覆された超音波プローブに脱着可能に設けられ、穿刺針を用いる穿刺治療時において利用される穿刺アダプタであって、第１のホルダー部と、当該第１のホルダー部に対して相対的に回転可能に設けられた第２のホルダー部と、前記第１のホルダー部と前記第２のホルダー部との間において、前記第１のホルダー部に対して相対的に回転可能に設けられた第３のホルダー部を少なくとも有するホルダー手段と、前記超音波プローブを挟掴するために、前記第１のホルダー部の一端と前記第３のホルダー部との一端とを固定するための固定部と、を具備することを特徴とする穿刺アダプタである。
【００１４】
請求項６に記載の発明は、滅菌状態を確保するためのプローブカバーであるプローブシースが被覆された超音波プローブと、第１のホルダー部と、当該第１のホルダー部に対して相対的に回転可能に設けられた第２のホルダー部と、前記第１のホルダー部と前記第２のホルダー部との間において、前記第１のホルダー部に対して相対的に回転可能に設けられた第３のホルダー部を少なくとも有するホルダー手段と、前記超音波プローブを挟掴するために、前記第１のホルダー部の一端と前記第３のホルダー部との一端とを固定するための固定部と、を有し、穿刺針を用いる穿刺治療時において利用される穿刺アダプタと、を具備することを特徴とする超音波プローブ装置である。
【発明の効果】
【００１５】
以上本発明によれば、穿刺アダプタをプローブに装着（又は取り外し）する時、プローブシースを破らない穿刺アダプタ又は穿刺アダプタ付きプローブ装置を実現することができる。
【発明を実施するための最良の形態】
【００１６】
以下、本発明の実施形態を図面に従って説明する。なお、以下の説明において、略同一の機能及び構成を有する構成要素については、同一符号を付し、重複説明は必要な場合にのみ行う。なお、以下においては、説明を具体的にするため、穿刺アダプタを設置する超音波プローブの部位（すなわち、撮影者が超音波プローブを把持する部位）は、略矩形である場合を例としている。しかしながら、本願発明の技術的思想は超音波プローブの形状に拘泥されない。例えば、穿刺アダプタを設置する超音波プローブの部位は、楕円形を断面にもつ円柱形状でもよい。
【００１７】
図１は、穿刺アダプタのホルダー部の第１種の構造を示す図である。図１において、プローブの断面形状がほぼ矩形であり、かつ矩形の四つの角部が弧度（所定の曲率）を有すると仮定している。穿刺アダプタのホルダー部は、第１のホルダー部２１ａ、第２のホルダー部２１ｂと、第３のホルダー部２１ｃとを含んでいる。各ホルダー部は、金属又は適当な材料で製作できる。第１のホルダー部２１ａと第２のホルダー部２１ｂは、（回転）軸２２ｂを中心に回転可能に接続されてもよいし、一体に形成されてもよい。第１のホルダー部２１ａと第３のホルダー部２１ｃは、（回転）軸２２ａを中心に回転可能に接続される。第３のホルダー部２１ｃが閉じる時に、当該第３のホルダー部２１ｃの第１のホルダー部２１ａに接続されていない方の端部は、第２のホルダー部２１ｂの端部に接合される。例えば、第１のホルダー部２１ａと第２のホルダー部と２１ｂが一体形成でない場合には、図１に示すように、第３のホルダー部２１ｃの端部は、摘み固定部２３を介して第２のホルダー部２１ｂの端部に接合される。
【００１８】
本実施形態では、回転中心即ち軸２２ａは、第１のホルダー部２１ａの中心より端部側に設置される。このように、可動ホルダー部２１ｃは、その固定ホルダー部２１ａの一辺に沿った長さが、固定ホルダー部２１ａの長さの半分未満である。好ましい実施の形態として、軸２２ａは、固定ホルダー部２１ａの弧度が曲がる位置に設置される。すなわち、穿刺アダプタを超音波プローブに装着（又は取り外し）する場合には、例えば第２のホルダー部２１ｂと第３のホルダー部２１ｃとをそれぞれ軸２２ａ、軸２２ｂに対して回転させることによって所定の開口幅（例えば、超音波プローブの把持部の最小幅以上の大きさの開口幅）を確保し、各ホルダー部と摩擦を起こさないようにして超音波プローブを穿刺アダプタ内に配置し、第３のホルダー部２１ｃの端部と第２のホルダー部２１ｂの端部とを接合すれば、穿刺アダプタを超音波プローブに固定（装着）することができる（例えば、図３参照）。
【００１９】
第１のホルダー部２１ａ、第２のホルダー部２１ｂと第３のホルダー部２１ｃが超音波プローブを挟持する時に、ホルダー部２１ｂと２１ｃの他端の間に隙間が存在する可能性があるため、摘み固定器２３は、ホルダー部２１ａ、２１ｂ、２１ｃをよりしっかりプローブに固定する。ホルダー部２１ａ、２１ｂ、２１ｃは弾力性を持つことができる。この弾力性性質でホルダー部２１ｂと２１ｃは、摘み固定器２３によってしっかり固定できる。
【００２０】
図１に示すように、ホルダー部２１ａは、受け皿２４を含んでもよい。この受け皿は、装着軸２２ｂの部分から出っ張っている。穿刺針手引き部品はこの受け皿と接続している。
【００２１】
第１のホルダー部２１ａ、第２のホルダー部２１ｂは分かれた二つの部材（すなわち、別体構造）である場合に、ホルダー部２１ａと２１ｂを接続する軸２２ｂは、第１の水平部位２２ｍ又は第２の水平部位２２ｎとの接続領域（すなわち、矩形状の超音波プローブの角の曲率を持つ領域）に設置されてもよい。
【００２２】
別の選択として、ホルダー部の弧度の曲率半径は任意の可能な数値になれ、当然、０（すなわち、曲率を持たず、第１の水平部位と第２の水平部位２２ｎとが垂直に接続される構造）であってもよい。
【００２３】
そして、穿刺アダプタのホルダー部２１ａ、２１ｂ、２１ｃは、四つの部分又はそれ以上に分けることができる。すなわち、図１の例では、穿刺アダプタを、ホルダー部２１ａ、２１ｂ、２１ｃの３つのホルダー部によって構成する例を示した。しかしながら、３つのホルダー部の例に拘泥されず、４つ以上のホルダー部を回転軸、摘み固定器によって接続する構成であってもよい。
【００２４】
図１に示す実施の形態において、回転中心の設置で、ホルダー部２１ｃは、開閉の時、いずれもプローブ及びプローブシースと摩擦が発生しない。すなわち、穿刺アダプタを超音波プローブに装着する場合には、例えば第２のホルダー部２１ｂと第３のホルダー部２１ｃとをそれぞれ軸２２ａ、軸２２ｂに対して回転させることによって所定の開口幅を確保し、各ホルダー部と摩擦を起こさないように穿刺アダプタ内に超音波プローブを配置した後に第３のホルダー部２１ｃの端部と第２のホルダー部２１ｂの端部とを接合すれば、穿刺アダプタを超音波プローブに固定（装着）することができる。このため、プローブシースが破損する問題が発生しにくい。
【００２５】
別の選択として、プローブと穿刺アダプタの断面形状は、楕円形状（円形を含む）であってもよい。この場合に、図２（ａ）に示すように、穿刺アダプタは三つのホルダー部２２ｔ、２２ｕ、２２ｖ、ホルダー部２２ｔとホルダー部２２ｖとを接続する回転中心２２ｐ、ホルダー部２２ｕとホルダー部２２ｖとを接続する回転中心２２ｑとからなる。二つの回転中心２２ｐ、２２ｑは上下の二辺にあり、回転中心２２ｐは、楕円の短軸より開け方向側に設置されている（図において短軸にある）。可動ホルダー部は、そのプローブの楕円の長軸方向の長さが長軸の長さの半分未満である。同図において、二つの回転中心があるが、一つの回転中心だけを有してもよい。その内の一つの回転中心又は二つの回転中心を回転軸として回転して、ホルダー部を開閉する。この場合においても、穿刺アダプタを超音波プローブに装着する場合には、例えばホルダー部２２ｔ、２２ｑ（又はホルダー部２２ｘ、２２ｙ）をそれぞれ軸２２ａ、軸２２ｂ（又は軸２２ｒ、軸２２ｓ）に対して回転させることによって所定の開口幅を確保し、各ホルダー部と摩擦を起こさないようにホルダー２２ｖ（２２ｗ）に超音波プローブを配置した後、ホルダー部２２ｔとホルダー部２２ｑ（又はホルダー部２２ｗとホルダー部２２ｙ）とを接合すれば、穿刺アダプタを超音波プローブに固定（装着）することができる。このため、プローブシースが破損する問題が発生しにくい。
【００２６】
或いは、図２（ｂ）に示すように、二つの回転中心２２ｒ、２２ｓは、それぞれ楕円の長軸又は短軸にある。穿刺アダプタは三つのホルダー部２２ｗ、２２ｘ、２２ｙからなり、二つの回転中心２２ｒ、２２ｓの内の一つ又は二つを回転軸として回転して、ホルダー部を開閉する。
【００２７】
この様な構造は、本実施形態の実施例と似た利点を持っていれば、他の場合にも使用できる。
【００２８】
本発明の好ましい実施例として、回転中心の位置を設置して穿刺アダプタの回転中心が弧度の曲がる位置（すなわち、超音波プローブの角に対応する位置）にあることによって、穿刺アダプタを超音波プローブに装着又は取り外す時、穿刺アダプタと超音波プローブの間は相対滑りを必要としなく、プローブシースに引っ張り力を加えなく、従ってプローブシースは破損しない。なお、図３においては、、（ａ）→（ｄ）の順序の操作で穿刺アダプタが超音波プローブに装着される。一方、（ａ）→（ｄ）の順序の操作で穿刺アダプタが超音波プローブから取り外しされる。
【００２９】
図４は本実施例の穿刺アダプタがプローブシースを破らないことを示す原理図である。ホルダー部２１ｃの回転半径範囲内ではプローブシースと摩擦が発生しなく、プローブシースが押される状況は発生しない。すなわち、例えば第２のホルダー部２１ｂと第３のホルダー部２１ｃとをそれぞれ軸２２ａ、軸２２ｂに対して回転させることによって所定の開口幅を確保し、各ホルダー部と摩擦を起こさないように穿刺アダプタ内に超音波プローブを配置した後に第３のホルダー部２１ｃの端部と第２のホルダー部２１ｂの端部とを接合すれば、穿刺アダプタを超音波プローブに固定（装着）することができる。
【００３０】
また、穿刺アダプタの回転中心の設置位置によるプローブシースの破損の状況以外、ホルダー部を開閉する場合に、ホルダー部の位置決め穴とプローブの位置決め穴とを嵌合する時、押されることによって、プローブシースが破損する問題が発生する。
【００３１】
図５において、図１のホルダー部２１ａ、２１ｃの位置決め部材（凹口と突起）とプローブの位置決め部材（突起と凹口）とを嵌合することを例として、該嵌合によるプローブシースの破損の問題を説明する。
【００３２】
図５は本発明の一つの実施例の超音波プローブと穿刺アダプタのホルダー部とを嵌合する例を示す図である。ｘ、ｙは、例えば超音波プローブの二つの突起であるが、二つの穴であってもよい。突起の場合に、突起ｘと突起ｙは異なることができ、例えば、突起ｘと突起ｙは、超音波プローブの各側面上で対称の位置にあるが、非対称の位置にあってもよい。非対称の位置にある場合に、穿刺アダプタはいつも唯一の方向で超音波プローブに固定され、穿刺アダプタがプローブから外すことを避けることができる。
【００３３】
２１ａｘ、２１ｃｙは、突起ｘ、突起ｙと対応する穿刺アダプタのホルダー部２１ａ、２１ｃの二つの穴である。穴２１ａｘ、２１ｃｙは異なることができ、例えば、穴２１ａｘ、穴２１ｃｙは、穿刺アダプタのホルダー部の各側面上で対称の位置にあっても、非対称の位置にあってもよい。
【００３４】
本実施形態において、穿刺アダプタのホルダー部２１ａ、２１ｃの位置決め穴（又は凹口、突起）の、超音波プローブの突起ｘ、ｙとの接触面の斜度は、超音波プローブの突起（又は凹口）の斜度と一致しないように設計される。穿刺アダプタのホルダー部の二つの穴２１ａｘ、２１ｃｙは、超音波プローブの二つの突起ｘ、ｙと対応しているが、超音波プローブの二つの突起ｘ、ｙの斜度と一致しないように設計され、穿刺アダプタの位置決め部材とプローブの位置決め部材との嵌合を行う時、二つの位置決め部材の間に押されることを発生しにくく、穿刺アダプタのホルダー部が使用中にプローブシースを破損しないように保証できる。
【００３５】
穿刺アダプタの穴２１ａｘと２１ｃｙは異なるサイズ及び形状に形成して、超音波プローブの形状の異なる突起ｘとｙに対応するようにすることができる。また、三つ又はそれ以上の穴で超音波プローブの相応突起を対応するようにすることができる。
【００３６】
図６は、従来の穿刺アダプタのホルダー部の装着と取り外しを示す図である。
【００３７】
図７は、本発明の一つの実施例の穿刺アダプタのホルダー部の装着と取り外しを示す図である。図７の下半部（実線円内）は、穿刺アダプタの位置決め部材とプローブの位置決め部材が嵌合方向で異なる斜度を用いることを示す図である。
【００３８】
図７において、嵌合方向に対してその内の一つが平行、他の一つが傾斜である構造（すなわち、ホルダー部２１ａ、２１ｃの位置決め穴の超音波プローブとの接触面のみが傾斜を有し、超音波プローブの突起ｘ、ｙの位置決め穴との接触面は傾斜がなく水平とする構造）を示している。しかしながら、当該例に項で有されず、その傾斜の角度が異なる限り、二つの位置決め部材がいずれも嵌合方向に対して傾斜する構造（（すなわち、ホルダー部２１ａ、２１ｃの位置決め穴の超音波プローブとの接触面、超音波プローブの突起ｘ、ｙの位置決め穴との接触面共に摩擦を発生させないための傾斜を有する構造）を用いてもよい。
【００３９】
図６と図７とを比べて、斜度が異なる構造を採用することで、穿刺アダプタを超音波プローブに装着と取り外す時、穿刺アダプタのホルダー部と超音波プローブの間は滑らかに接触し、プローブシースを押して破ることを有効的に避けることが分かる。
【００４０】
この様な構造は、本発明の実施例と似た利点を持っていれば、他の場合にも使用できる。
【００４１】
穿刺アダプタを超音波プローブ周囲に装着、又は超音波プローブ周囲から取り外す時、プローブシースを破損しないことで確認を行う。
【００４２】
この様な実施例は、ただ本発明をよりよく理解するために挙げた例であって、今回の発明だけに限って使用するものではない。従って、本発明の範囲内で、前記実施例で開示された各部品とパーツは、同じ役割の物に取り替え、新たに設計したり改良したりすることができる。これらの部品又はパーツのいかなる可能な組合せは、本発明の範囲内に含まれているので、とにかく本実施形態の実施例と似た利点を持っていればよい。
【００４３】
以上述べた説明によれば、本実施形態の各種の改良と変化は可能である。従って理解すべきであり、付加した特許請求の範囲内で特定した記載を除いて、本発明では他の方式で実現することができる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００４４】
以上本発明によれば、穿刺アダプタをプローブに装着（又は取り外し）する時、プローブシースを破らない穿刺アダプタ及び超音波プローブ装置を実現することができる。
【図面の簡単な説明】
【００４５】
【図１】図１は穿刺アダプタのホルダー部の第１種の構造を示す図である。
【図２】図２は、プローブと穿刺アダプタの断面形状が楕円形である構造を示す図である。
【図３】図３は、ホルダー部の装着と取り外しを説明するための図である。
【図４】図４は、穿刺アダプタがプローブシースを破らないことを示す原理図である。
【図５】図５は、一つの実施例の超音波プローブと穿刺アダプタのホルダー部とを嵌合する例を示す図である。
【図６】図６は従来の穿刺アダプタのホルダー部の装着と取り外しを示す図である。
【図７】図７は本発明の一つの実施例の穿刺アダプタのホルダー部の装着と取り外しを示す図である。
【図８】図８は穿刺針１、穿刺アダプタ２、超音波プローブ３、プローブシース４、生体及び超音波画像領域の関係を示す正面図である。
【図９】図９は穿刺針１、穿刺アダプタ２、超音波プローブ３、プローブシース４の関係を示す立体図である。
【図１０】図１０は従来の穿刺アダプターのホルダー部の一つの例を示す図である。
【図１１】図１１は従来の穿刺アダプタとプローブの装着又は取り外しの工程を示す図である。
【図１２】図１２は従来の穿刺アダプタがプローブシースを破損することを示す原理図である。
【符号の説明】
【００４６】
２１ａ…第１のホルダー部、２１ｂ…第２のホルダー部、２１ｃ…第３のホルダー部、２２ａ…回転軸、２２ｂ…回転軸、２２ｔ、２２ｕ、２２ｖ、２２ｗ、２２ｘ、２２ｙ…ホルダー部、２２ｐ、２２ｑ、２２ｒ、２２ｓ…回転中心、２１ａｘ、２１ｃｙ…穴、ｘ、ｙ…突起
【図１】
2009072604.tif 000003
【図２】
2009072604.tif 000004
【図３】
2009072604.tif 000005
【図４】
2009072604.tif 000006
【図５】
2009072604.tif 000007
【図６】
2009072604.tif 000008
【図７】
2009072604.tif 000009
【図８】
2009072604.tif 000010
【図９】
2009072604.tif 000011
【図１０】
2009072604.tif 000012
【図１１】
2009072604.tif 000013
【図１２】
2009072604.tif 000014